(57)【要約】      （修正有）【課題】既設のモルタル斜面を補強するとともに良好に緑化することができるモルタル斜面緑化工法を提供する。【解決手段】既設モルタル斜面にあけた穴に挿入し、つる植物を生育させる植生用具１であって、二本以上の鋼線からなり片側端部を折り返してフックを形成した芯材１１と、フック部分を残し、その余の芯材１１に巻付け、芯材との間に空気層を作出する芯材被包体１２と、その外周に形成し保水材からなる保水材層１３と、その外周に形成し不織布からなる根張り用の不織布層１４と、その外周に形成し穴の形状を維持するメッシュ状の素材からなる最外層１５と、フック部分に挿通するポット１６と、を具備し、芯材被包体１２上部を土から露出させてフックをラス網に掛けてポット１６を固定しつつ残余を穴に差し込み、ポット１６に土と苗を入れて、つる植物の根に対する酸素および水分の供給を確保可能する。【選択図】図１
2014236686.tif 000002
【特許請求の範囲】
【請求項１】
土壌にあけた筒状の穴に挿入し、つる植物を生育させる植生用具であって、
二本以上の鋼線からなり片側端部をそれぞれ折り返してフックを形成した芯材と、
フック部分である片側を残し、その余の芯材の全部または所定長まで巻付けまたは挿通して、芯材との間に前記片側と他端までまたは前記所定長まで連通した空気層を作出する芯材被包体と、
芯材被包体の外周に形成された層であって保水材からなる保水材層と、
保水材層の外周に形成された根張りの助成用の層であって不織布からなる不織布層と、
不織布層の外周に形成され前記穴の形状を維持する層であってメッシュ状の素材からなる最外層と、
フック部分に挿通する中空筒体と、
を具備し、
フック部分および芯材被包体上部を土壌から露出させて残余を前記穴に差し込み、
中空筒体を、土壌に突き刺すまたは突き当てるとともに、フックを土壌上面もしくは上空に設けられた被係止体に係止させることにより固定し、
中空筒体に土と、種または苗を入れ、かつ、芯材被包体上部を土から露出させ、つる植物の根に対する酸素および水分の供給を確保することを特徴とする植生用具。
【請求項２】
不織布層および／または保水剤層に、予め肥料を添加したことを特徴とする請求項１に記載の植生用具。
【請求項３】
既設のモルタル斜面に対しモルタル下の土壌の所定深さまで所定間隔で所定径の植生用穴を穿孔する植生穴穿孔工程と、
モルタル斜面上面をラス網で被覆する被覆工程と、
植生穴穿孔工程後、請求項１または２に記載の植生用具を挿入する挿入工程と、
ラス網にフックを掛け中空筒体を固定する固定工程と、
中空筒体に土と、種または苗を入れる緑化工程と、
を含んだことを特徴とするモルタル斜面緑化工法。
【請求項４】
中空筒へ向けて雨水を集めるガイドをモルタル斜面上に設置する設置工程を含んだことを特徴とする請求項３に記載のモルタル斜面緑化工法。
【発明の詳細な説明】
【技術分野】
【０００１】
本発明は、植生用具およびこれを用いたモルタル斜面緑化工法に関し、特に、経年劣化したモルタル斜面をラス網およびツタ等のつる植物で被覆し、永続的に補強および緑化する技術に関する。
【背景技術】
【０００２】
従来、道路脇や民家脇などでは、山を切り開き、斜面をモルタル等により吹きつけ、法面補強が施されている。一方近年では、環境意識が進み、モルタルむき出しは好まれず自然との調和が好まれる。そこで、既設のモルタル斜面に植物をはわせるなどの緑化が試みられている。
【０００３】
しかしながら、従来の技術では以下の問題点があった。
まず、表面がモルタルで覆われているため、植物が繁茂しにくいという問題点があった。
また、斜面が６０°程度以上となるとツタ等であっても単体では繁茂が十全に進まず、植物が定着しにくいという問題点があった。
【０００４】
また、既設のモルタル面は、経時変化により、モルタルのひび割れ、剥落が生じやすく、植物が根を張る前に土塊と一緒に剥落してしまう場合があり、設計通りの植生が実現できないという問題点があった。
【先行技術文献】
【特許文献】
【０００５】
【特許文献１】特許３９３５１９１号公報
【特許文献２】特開２００９−２２８２１１号公報
【特許文献３】特開２００９−２４４４０号公報
【特許文献４】特開２００５−６１１４４号公報
【特許文献５】特許代３９３５１９１号公報
【発明の概要】
【発明が解決しようとする課題】
【０００６】
本発明は上記に鑑みてなされたものであって、既設のモルタル斜面を補強ないし保全するとともに良好に緑化する技術を提供することを目的とする。
【課題を解決するための手段】
【０００７】
請求項１に記載の植生用具は、土壌にあけた筒状の穴に挿入し、つる植物を生育させる植生用具であって、二本以上の鋼線からなり片側端部をそれぞれ折り返してフックを形成した芯材と、フック部分である片側を残し、その余の芯材の全部または所定長まで巻付けまたは挿通して、芯材との間に前記片側と他端までまたは前記所定長まで連通した空気層を作出する芯材被包体と、芯材被包体の外周に形成された層であって保水材からなる保水材層と、保水材層の外周に形成された根張りの助成用の層であって不織布からなる不織布層と、不織布層の外周に形成され前記穴の形状を維持する層であってメッシュ状の素材からなる最外層と、フック部分に挿通する中空筒体と、を具備し、フック部分および芯材被包体上部を土壌から露出させて残余を前記穴に差し込み、中空筒体を、保水剤層から最外層までの層断面または土壌に突き刺すまたは突き当てるとともに、フックを土壌上面もしくは上空に設けられた被係止体に係止させることにより固定し、中空筒体に土と、種または苗を入れ、かつ、芯材被包体上部を土から露出させ、つる植物の根に対する酸素および水分の供給を確保することを特徴とする。
【０００８】
すなわち請求項１にかかる発明は、根張りに重要な空気中の酸素および水分を土壌深部まで確保し、これを、根の生育および延伸に好適な材料である不織布へ伝搬させ、良好かつ永続的な土中環境を提供して、つる植物を十全に繁茂させることができる。
【０００９】
なお、筒状の穴とは、円柱状または角柱状に穿孔した穴をいい、その大きさは、例えば、直径または一辺４ｃｍ〜８ｃｍ、深さ３０ｃｍ〜５０ｃｍの例を挙げることができる。つる植物の例としては、ムベ、キズタ、スイカズラ、ナツヅタ、オカメズタなどを挙げることができる。
【００１０】
二本以上の鋼線とは、例えば、一本の鋼線を折り曲げフックを形成する片側を事実上二本とする態様も含まれるものとする。鋼線を用いることにより、フックの係止自由度を高めることができる。鋼線は、例えば、直径１．５ｍｍ〜４．０ｍｍのものを用いることができる。また、腐食しにくい素材を用い、適宜、防錆塗料を塗布したものであってもよい。
【００１１】
芯材被包体は、ポリエチレン等の柔軟素材であって、芯材との間に空気層を設ける観点から撥水性が高い素材であることが好ましい。なお、厚み１ｍｍ幅７ｍｍの短冊状の素材を螺旋状に芯材に巻き付け、構造的に通気性を持たせるほか、適宜微細な穴をあけたチューブを用いるようにして通気性を確保するようにしてもよい。
【００１２】
保水材は、植物の生育を阻害しない素材であれば特に限定されず、綿、スポンジ、吸水ポリマー等を用いることができる。保水層の層厚みは特に限定されないが、例えば２ｃｍ〜３ｃｍ厚とすることができる。なお、吸水により膨脹する素材であれば、穴の形状を維持する観点から好ましい。
【００１３】
不織布層は、適宜不織布を保水材層の上から２重、３重に巻き付けるようにして形成する。
【００１４】
メッシュ状の素材は、園芸資材として用いられている樹脂製のネット等を用いることができ、土の重みに適宜抗する強度を備えるものが好適である。メッシュ状素材を用いることにより、不織布層を好適に保護し、また、根の不織布層への進入も助成される。目の大きさは特に限定されない。
【００１５】
中空筒体は、いわば底をあけたポットである。穴をあけた土壌に差し込み、苗または種からの根を下の不織布層等へ誘導する。素材は例えば耐候性のある樹脂を用いる。切頭・切底の円錐形とする場合、その大きさは、例えば、上縁直径８ｃｍ〜１３ｃｍ、下縁直径５ｃｍ〜８ｃｍ、高さ５ｃｍ〜１０ｃｍとすることができる。
【００１６】
なお、芯材被包体上部を中空筒体に入れる土から露出させるが、芯材被包体を取り巻く各層の上部も露出させるようにしてもよい。
【００１７】
請求項２に記載の植生用具は、請求項１に記載の植生用具において、不織布層および／または保水剤層に、予め肥料を添加したことを特徴とする。
【００１８】
すなわち請求項２にかかる発明は、特に初期の栄養状態を好適にし、速やかな繁茂を実現する。また、養分の高い層へ根が延伸していくため、好適な根張りを実現する。
【００１９】
請求項３に記載のモルタル斜面緑化工法は、既設のモルタル斜面に対しモルタル下の土壌の所定深さまで所定間隔で所定径の植生用穴を穿孔する植生穴穿孔工程と、モルタル斜面上面をラス網で被覆する被覆工程と、植生穴穿孔工程後、請求項１または２に記載の植生用具を挿入する挿入工程と、ラス網にフックを掛け中空筒体を固定する固定工程と、中空筒体に土と、種または苗を入れる緑化工程と、を含んだことを特徴とする。
【００２０】
すなわち請求項３にかかる発明は、既設モルタルの剥落を防止しつつ、緑化を実現する。モルタルの剥落は、ラス網によってもつる植物によっても防止される。加えて、ラス網が介在することにより、法面角度に依存せず緑化が可能となる。なお、被覆工程と穿孔工程はどちらを先におこなっても良い。
【００２１】
ラス網は、鋼線を菱形に編み込んだ態様のほか、目が形成されているものであればよく、また、目の大きさは既設モルタルの状況、法面角度、繁茂させるつる植物に応じて適宜選択すればよい。なお、適宜防錆処理を施したものでもよい。
【００２２】
請求項４に記載のモルタル斜面緑化工法は、請求項３に記載のモルタル斜面緑化工法において、中空筒へ向けて雨水を集めるガイドをモルタル斜面上に設置する設置工程を含んだことを特徴とする。
【００２３】
すなわち請求項４にかかる発明は、穴へ水を導入し、これが保水層で備蓄され、好適な繁茂環境を維持することができる。
【００２４】
なお、ガイドは、穴ないし中空筒体へ向けて、Ｖ字状に二本の突条をコーキングガンでモルタル表面に盛りつける例を挙げることができ、このほかセメントによる突条を設けたり、凹条の筋を設けるようにしてもよい。
【発明の効果】
【００２５】
本発明によれば、既設のモルタル斜面を補強ないし保全するとともに良好に緑化する植生用具および工法を提供することができる。
【図面の簡単な説明】
【００２６】
【図１】本発明の植生用具の構成例を示した説明図である。このうち図１（ａ）は、部分断面図を、図１（ｂ）は、芯材へ芯材被包体を巻き付ける様子を示した説明図である。
【図２】本発明のモルタル斜面緑化工法の施行概念図である。このうち図２（ａ）は既設モルタル斜面断面を、図２（ｂ）は同正面図を示している。
【発明を実施するための形態】
【００２７】
以下、本発明の実施の形態を図面を参照しながら詳細に説明する。
図１は、本発明の植生用具の概念図である。図２は、植生用具を用いた既設モルタル法面の緑化の施工例を示した図である。なお、図では、縮尺等は説明の便宜上適宜省略してある。図示したように、植生用具１は、芯材１１と、芯材被包体１２と、保水材層１３と、不織布層１４と、最外層１５と、ポット１６と、を主要な構成とし、土壌にあけた筒状の穴に挿入し、つる植物を生育させる植生用具である。芯材被包体１２〜最外層１５は、同じ幅で芯材１１に巻き付いている。
【００２８】
芯材１１は、直径２ｍｍのステンレス番線１．２ｍを二つに折り曲げ、先端４ｃｍを折り返してフックとした形状である。
【００２９】
芯材被包体１２は、厚み約１ｍｍ幅５ｍｍの軟質ポリエチレン製であり、内径約５ｍｍで自然に巻き付くスパイラルチューブとなっており、芯材１１外側に巻き付ける。芯材被包体１２により、内部にフック側まで連通した空気層を確保することができる。なお、多少の水が進入してくる場合もあるが、素材自体に所定の撥水性があり、芯材１１同士でも間隙が確保されるので、芯材被包体１２内側には全体として良好な通気性が確保される。
【００３０】
保水材層１３は、吸水ポリマーで充填され、水を吸収および保持する。吸水に際して保水材層１３は膨脹して筒状の穴を密に充填し、土壌によって押しつぶされないように最外層１５とともに植生用具１の強度を高める。吸水ポリマーは単体で充填されていてもよいが、布や紙に担持させるようにしてもよい。また、保水材層１３には栄養分（肥料）を予め含ませておく。
【００３１】
不織布層１４は、不織布を保水材層１３の外側に巻き付けて形成される層であり、保水材や土壌の水分を適度に保持するとともに微細な空気泡を保持する。また、中心にある空気層から伝搬する溶存酸素も供給される。不織布は、その形状ないし性状から根の延伸を促進させ、不織布に沿って根を深淵部まで張らせることが可能となる。また、不織布層１４には栄養分（肥料）を予め含ませておく。
【００３２】
最外層１５は、不織布層１４を包む層であって、メッシュ地素材により、所定の強度を確保し、また、土壌への根の延伸を助成する。素材は、植物の生育を妨げるものでなければ特に限定されず、ポリエチレンやポリプロピレン、ポリ塩化ビニルなどを挙げることができる。目の大きさは３ｍｍ×３ｍｍとし、目と目の間の太さは１ｍｍとする例を挙げることができる。
【００３３】
ポット１６は、筒状の穴上面を囲むように土壌の中途まで差し込み、中に土とつる植物の苗を入れる。このポット１６は底なしであり、根が不織布やメッシュ地に沿って延伸していく。素材は耐候性樹脂を用いる。形状は先細りの円錐筒とする。
【００３４】
植生用具１は、以上の構成であり、土壌にあけた筒状の穴へ、フック部分を残して差し入れるとともにポット１６の下縁を土壌に差し込み、フックを土壌上面に配されたラス網（後述）に係止させることによりポット１６を固定して使用する。ポット１６に土とつる植物の苗を入れ、根張りを十全とするとともに、ラス網につるや葉をはわせ、次説するモルタル斜面を緑化・補強する。
【００３５】
次に、植生用具１を用いたモルタル斜面緑化工法について説明する。
ここで、緑化する斜面は、５ｃｍ厚のモルタルで被覆された既設法面であり、斜面角度は６５°とする。また、つる植物として常緑つる植物であるキヅタを繁茂させる例を挙げる。
【００３６】
まず、モルタル斜面に外径５ｃｍのビットを用いて深さ５０ｃｍの穴を掘る（植生穴穿孔工程）。実際には穿孔時に穴が拡径し、およそ直径７ｃｍの穴となる。穴は、斜面の登り方向（縦方向）に１ｍ間隔、横方向に２ｍ間隔で穿孔する。
【００３７】
穿孔に際しては、本願発明者によるアンカー工法（特許第３９３５１９１号）を用いることができる。実際の現場では、法面面積の大小、傾斜、湾曲、など、様々な要因が重なり、足場を組みにくい場合があるが、上記アンカー工法を用いると、無足場により簡便かつ安価に削孔でき、法面緑化に好適である。
【００３８】
次に、穴に雨水が流れ込むように、図２に示した如く、厚み１ｃｍ、長さ２０ｃｍのセメントによる導水ガイドを設ける（設置工程）。
【００３９】
セメント養生後、法面にラス網をかぶせる（被覆工程）。適宜、固定具等を用い、ずれないようにする。なお、ラス網は防錆処理が施されているものを用いる。ここでは、対角線が８ｃｍ×６ｃｍの菱形の目のものを用いる。ラス網をかぶせることにより、既設モルタルの経年劣化等による剥落が防止される。
【００４０】
次に、植生用具１を穴に差し入れる（挿入工程）。ポット１６に関しては鉛直上向きに配向するようにして底縁を穴に差し込み、フックをラス網に掛けて固定する。このとき、適宜フックや芯材１１上部を曲げてポット１６を十全に固定する（固定工程）。
【００４１】
最後に、土とキヅタの挿し木苗をポット１６に入れて工程を完了する（緑化工程）。なお、芯材被包体１２上部、保水材層１３上部、不織布層１４上部、最外層１５上部は、ポット１６に入れる土から露出させ、芯材１１下部まで連通する空気層が外気に触れるようにする。
【００４２】
設置後、雨が降り、導水ガイドを伝って穴に水が進入し、保水材層１３の保水材が水を吸収し膨脹する。ポット１６は好適に湿った環境となり、キヅタから根が伸び、適宜補水材層１３および不織布層１４から養分も供給され生育していく。
【００４３】
生育に伴って、根は更に不織布層１４および最外層１５を伝って伸びていく。このとき、芯材１１の空気層により酸素が供給されるので、通常よりも根が速やかに広く深く伸びてゆく。また、キヅタの葉やつるはラス網に沿って広がっていき、好適な緑化がなされる。また、事実上葉やつるによってラス網の目がふさがっていくので、モルタルの剥落や土壌流出が一層抑制される。
【００４４】
以上説明したように、本発明によれば、既設のモルタル斜面を補強ないし保全するとともに良好に緑化する植生用具および工法を提供することができる。
【００４５】
なお、本発明は、上記の実施の形態に限定されない。つる植物の例としては、シダ植物では、ウラジロ、カニクサ、ヒモヅルといったシダ植物、グネツム類の裸子植物、カギカズラ、アカネ、アケビ、カラハナソウ、カナムグラ、イワガラミ、ツルアジサイ、ウツボカズラ、ウマノスズクサ、ｋジョウラン、ツルニンジン、ツルギキョウ、テイカカズラ、センニンソウ、ボランヅル、ハンソウヅル、カザグルマ、スナヅル、クマヤナギ、フウトウカズラ、ツルドクダミ、アオツヅラフジ、トケイソウ、ツルウメモドキ、ツルマサキ、クロヅル、ノウゼンカズラ、ノイバラ、サンショウバラ、ネナシカズラ、ノブドウ、ヤマブドウ、ヤブララシ、ビナンカズラ、クズ、クサフジ、タンキリマメ、アイラドビカズラ、マタタビ、キウイフルーツ、フウセンカヅラ、ツルリンドウ等の双子葉類、オウゴンカズラ、サルトリイバラ、ツルアダン、トウツルモドキ、トウ等の単子葉類などを挙げることができ、モルタル斜面の補強・緑化に用いる場合には、適宜これらの中から好適なものを選択すればよい。
【００４６】
また、対象法面はモルタル吹付面に限定されず、コンクリート面であってもよい。ポットの形状も、斜面の角度が大きな場合は、Ｌ字状として、穿孔された穴（モルタル穴）にはめ込めるようにしてもよい。
【産業上の利用可能性】
【００４７】
本発明によれば、既設のモルタル斜面を効率的に緑化する工法を提供することができる。なお、無足場削孔を利用することにより、植生用孔を簡便に削孔でき、低廉な修繕が可能となる。
【符号の説明】
【００４８】
１        植生用具
１１     芯材
１２     芯材被包体
１３     保水材層
１４     不織布層
１５     最外層
１６     ポット
【図１】
2014236686.tif 000003
【図２】
2014236686.tif 000004